(57)【特許請求の範囲】
【請求項１】
投入口を有したパネル本体と、前記パネル本体の投入口に対して開閉可能に配設された蓋体とを備え、通常状態においては前記蓋体によって前記パネル本体の投入口を閉塞し、かつ前記パネル本体の表面側から押圧された場合には前記投入口を開口する投入パネルにおいて、
通常状態においては前記投入口の一部に非覆領域を確保した状態で前記パネル本体の裏面側から前記投入口を覆い、かつ表面側から押圧された場合には前記パネル本体の裏面から離隔する方向に移動して前記投入口を開口するメイン蓋プレートと、
通常状態においてはサブリターンバネに押圧されて自身の先端部を前記メイン蓋プレートの先端部に当接させた状態で前記パネル本体の表面側から前記投入口の非覆領域を覆う状態に維持され、前記パネル本体の裏面側から押圧された場合には前記サブリターンバネのバネ力に抗して前記パネル本体の表面から離隔する方向に移動して前記投入口の非覆領域を開口するサブ蓋プレートと
を備えて前記蓋体を構成したことを特徴とする投入パネル。
【請求項２】
前記メイン蓋プレートは、水平方向に沿ったメイン支持軸を中心として前記パネル本体の裏面に回転可能に支持させてあり、通常状態においては前記メイン支持軸から垂下して前記投入口の上方部を覆う一方、表面側から押圧された場合に前記パネル本体の裏面から離隔する方向に向けて上方に回転することにより前記投入口の上方部を開口するものであり、
前記サブ蓋プレートは、水平方向に沿ったサブ支持軸を中心として回転可能に配設してあり、通常状態においては前記サブ支持軸から上方に立ち上がって前記メイン蓋プレートの先端部に当接することにより前記投入口の下方部を覆う一方、裏面側から押圧された場合に前記パネル本体の表面から離隔する方向に向けて下方に回転することにより前記投入口の下方部を開口するものである
ことを特徴とする請求項１に記載の投入パネル。
【請求項３】
前記パネル本体の投入口は、水平方向に沿って横長の長方形状を成し、かつ下方部に前記パネル本体から突出した突出部を有したものであり、
前記サブ蓋プレートは、水平方向に沿った寸法が前記投入口と一致し、通常状態においては前記突出部の表面に当接することによって裏面側への移動が規制される
ことを特徴とする請求項２に記載の投入パネル。
【請求項４】
請求項１〜請求項３のいずれかに記載した投入パネルを受入箱に設けた受入口の開口端部に配設したことを特徴とする受箱装置。
【請求項５】
受入箱の受入口と投入パネルとの間に連絡通路を備えたことを特徴とする請求項４に記載の受箱装置。
【発明の詳細な説明】
【技術分野】
【０００１】
本発明は、郵便物や新聞等の収容物を受け入れる投入パネル及び投入パネルを備えた受箱装置に関するものである。
【背景技術】
【０００２】
玄関ドアには、郵便物や新聞等の収容物を受け入れるための受箱装置を備えたものが提供されている。受箱装置は、ドアパネルの室内側に設けられた受入箱と、ドアパネルの室外側に設けられた投入パネルとを備えて構成されている。投入パネルは、平板状を成すパネル本体に投入口を有したもので、ドアパネルに貫通させた連絡通路の開口を覆う状態で室外側に位置する表面に取り付けられている。受入箱は、前面上部に受入口を有するとともに、後面下部に取出口を有した箱体である。この受入箱は、受入口を連絡通路の開口に合致させた状態で前面を介してドアパネルに取り付けられている。
【０００３】
また、パネル本体には、室内側に位置する裏面に蓋体が配設されている。蓋体は、パネル本体の投入口を開閉可能に閉塞する板状部材であり、その上縁部に設けた軸部材により水平方向に沿った軸心回りに回転する状態でパネル本体に支持されている。
【０００４】
上記の受箱装置を備えた玄関ドアによれば、玄関が閉められた状態においてもパネル本体の投入口から収容物を差し込めば、蓋体が室内側に向けて上方に回転することになり、そのまま収容物を室内の受入箱に収容させることができる。受入箱に収容された収容物は、室内側において受入箱の取出口から取り出すことが可能である。
【０００５】
パネル本体に設けられた蓋体は、通常状態においてパネル本体の投入口を閉塞した状態に維持されるため、ドアパネルに形成した連絡通路を通じた室内外での通気を遮断することができ、例えば温調された室内の空気と外部雰囲気とが流通する事態を防止している（例えば、特許文献１及び特許文献２参照）。
【先行技術文献】
【特許文献】
【０００６】
【特許文献１】特開平８−８２１６９号公報
【特許文献２】特開平９−２２８７５９号公報
【発明の概要】
【発明が解決しようとする課題】
【０００７】
ところで、パネル本体の投入口に対しては、室内側に収容物を収容させるだけでなく、室外側に向けて物体を移動させる場合がある。例えば、途中まで差し込んだ収容物を室外側に引き抜いたり、蓋体に挟まれた手を引き抜く場合には、投入口に対して物体が室外側に向けて移動することになる。
【０００８】
ここで、上述したように使い勝手を考慮し、蓋体が室内側に回転した場合にパネル本体の投入口が開くように構成した投入パネルにあっては、物体を引き抜く方向と蓋体を閉じる方向とが一致することになる。このため、挟まれた物体を抜こうとした場合には、蓋体が閉じる方向に移動してしまうことになり、物体が挟まれた状態を解除することが困難となる。尚、こうした問題は、蓋体を表面側から押した場合にパネル本体の裏面から離隔するように蓋体が移動して投入口を開くものであれば、蓋体の移動が回転でなくとも、また蓋体の支持位置が上縁部でなくとも、同様に起こり得るものである。
【０００９】
本発明は、上記実情に鑑みて、収容物を収容させる場合の使い勝手を損なうことなく、通常状態において投入口を閉塞することができ、かつ蓋体に挟まれた物体を容易に引き抜くことのできる投入パネル及び受箱装置を提供することを目的とする。
【課題を解決するための手段】
【００１０】
上記目的を達成するため、本発明に係る投入パネルは、投入口を有したパネル本体と、前記パネル本体の投入口に対して開閉可能に配設された蓋体とを備え、通常状態においては前記蓋体によって前記パネル本体の投入口を閉塞し、かつ前記パネル本体の表面側から押圧された場合には前記投入口を開口する投入パネルにおいて、通常状態においては前記投入口の一部に非覆領域を確保した状態で前記パネル本体の裏面側から前記投入口を覆い、かつ表面側から押圧された場合には前記パネル本体の裏面から離隔する方向に移動して前記投入口を開口するメイン蓋プレートと、通常状態においてはサブリターンバネに押圧されて自身の先端部を前記メイン蓋プレートの先端部に当接させた状態で前記パネル本体の表面側から前記投入口の非覆領域を覆う状態に維持され、前記パネル本体の裏面側から押圧された場合には前記サブリターンバネのバネ力に抗して前記パネル本体の表面から離隔する方向に移動して前記投入口の非覆領域を開口するサブ蓋プレートとを備えて前記蓋体を構成したことを特徴とする。
【００１１】
この発明によれば、メイン蓋プレート及びサブ蓋プレートによって投入口を覆うようにし、かつメイン蓋プレートがパネル本体の裏面から離隔する方向に移動した場合に投入口が開口されるように構成しているため、メイン蓋プレートに対して収容物を押し込めばそのまま投入口を通過させることができ、使い勝手を損なうことなく通常状態において投入口を閉塞することができる。しかも、メイン蓋プレートの先端部に当接したサブ蓋プレートは、パネル本体の表面から離隔する方向に移動した場合に投入口が開口されるように構成している。従って、物体を引き抜く方向に移動した場合には、サブ蓋プレートが投入口を開口するように移動することになり、その操作を容易に行うことが可能となる。
【００１２】
また、本発明は、上述した投入パネルにおいて、前記メイン蓋プレートは、水平方向に沿ったメイン支持軸を中心として前記パネル本体の裏面に回転可能に支持させてあり、通常状態においては前記メイン支持軸から垂下して前記投入口の上方部を覆う一方、表面側から押圧された場合に前記パネル本体の裏面から離隔する方向に向けて上方に回転することにより前記投入口の上方部を開口するものであり、前記サブ蓋プレートは、水平方向に沿ったサブ支持軸を中心として回転可能に配設してあり、通常状態においては前記サブ支持軸から上方に立ち上がって前記メイン蓋プレートの先端部に当接することにより前記投入口の下方部を覆う一方、裏面側から押圧された場合に前記パネル本体の表面から離隔する方向に向けて下方に回転することにより前記投入口の下方部を開口するものであることを特徴とする。
【００１３】
この発明によれば、上方に配置したメイン蓋フレートと下方に配置したサブ蓋プレートとによって投入口を覆うことができる。
【００１４】
また、本発明は、上述した投入パネルにおいて、前記パネル本体の投入口は、水平方向に沿って横長の長方形状を成し、かつ下方部に前記パネル本体から突出した突出部を有したものであり、前記サブ蓋プレートは、水平方向に沿った寸法が前記投入口と一致し、通常状態においては前記突出部の表面に当接することによって裏面側への移動が規制されることを特徴とする。
【００１５】
この発明によれば、投入口の左右方向に沿った寸法と、パネル本体の表面側から投入口を覆うサブ蓋プレートの左右方向に沿った寸法とを一致させることができる。
【００１６】
また、本発明に係る受箱装置は、上述した投入パネルのいずれかを受入箱の受入口に至る通路の開口端部に配設したことを特徴とする。
【００１７】
この発明によれば、受箱装置として構成した場合にも、上述した投入パネルの作用効果を得ることができる。
【００１８】
また、本発明は、上述した受箱装置においては、受入箱の受入口と投入パネルとの間に連絡通路を備えたことを特徴とする。
【００１９】
この発明によれば、受入箱と投入パネルとを互いに離隔した位置に配置することができる。
【発明の効果】
【００２０】
本発明によれば、メイン蓋プレート及びサブ蓋プレートによって投入口を覆うようにし、かつメイン蓋プレートがパネル本体の裏面から離隔する方向に移動した場合に投入口が開口されるように構成しているため、メイン蓋プレートに対して収容物を押し込めばそのまま投入口を通過させることができ、使い勝手を損なうことなく通常状態において投入口を閉塞することができる。しかも、メイン蓋プレートの先端部に当接したサブ蓋プレートは、パネル本体の表面から離隔する方向に移動した場合に投入口が開口されるように構成している。従って、物体を引き抜く方向に移動した場合には、サブ蓋プレートが投入口を開口するように移動することになり、その操作を容易に行うことが可能となる。
【図面の簡単な説明】
【００２１】
【図１】図１は、本発明の実施の形態である投入パネルを適用した受箱装置においてメイン蓋プレート及びサブ蓋プレートが閉じた状態を示す要部縦断面図である。
【図２】図２は、図１に示した受箱装置においてメイン蓋プレートが開いた状態を示す要部縦断面図である。
【図３】図３は、図１に示した受箱装置においてサブ蓋プレートが開いた状態を示す要部縦断面図である。
【図４】図４は、図１に示した受箱装置に適用する投入パネルを表面側から見た図である。
【図５】図５は、図１に示した受箱装置に適用する投入パネルを裏面側から見た図である。
【図６】図６は、図４に示した投入パネルを示すもので、（ａ）は図４中のＸ−Ｘ線断面図、（ｂ）は図４中のＹ−Ｙ線断面図、（ｃ）は図４中のＺ−Ｚ線断面図である。
【図７】図７は、図１に示した受箱装置の縦断面図である。
【図８】図８は、図１に示した受箱装置を適用するドアを室外側から見た図である。
【発明を実施するための形態】
【００２２】
以下、添付図面を参照しながら本発明に係る投入パネル及び受箱装置の好適な実施の形態について詳細に説明する。
【００２３】
図１〜図３は、本発明の実施の形態である投入パネルを適用した受箱装置の要部を示したものである。ここで例示する受箱装置は、図７及び図８に示すように、玄関ドア１の郵便受けとして構成されたもので、ドアパネル２の室内側に設けられた受入箱１０と、ドアパネル２の室外側に設けられた投入パネル２０とを備えている。受入箱１０は、前面が開口した箱状を成すもので、前面を介してドアパネル２の室内側に位置する面（以下、「ドア裏面２ａ」という）に取り付けることにより、ドアパネル２との間に収容物Ｐ（図２参照）を収容するための収容空間１１を構成している。尚、図には明示していないが、受入箱１０の下方部には、収容物Ｐを取り出すための取出口が設けてある。
【００２４】
受入箱１０が取り付けられるドアパネル２には、室外側に位置する面（以下、「ドア表面２ｂ」という）からドア裏面２ａに渡って連絡通路３０が設けてある。連絡通路３０は、室外側から受入箱１０に収容物Ｐを通過させるための開口であり、ドアパネル２に設けた孔の内周を内壁パネル３１によって覆うことにより構成してある。この連絡通路３０は、図１〜図５に示すように、横断面が水平方向に沿って横長の長方形状を成すもので、ドアパネル２のドア裏面２ａにおいては受入箱１０の上端となる位置に開口している。連絡通路３０の下面を規定する内壁パネル３１Ｌは、ドアパネル２のドア表面２ｂからドア裏面２ａに向けて漸次低くなるように傾斜して設置してある。
【００２５】
投入パネル２０は、連絡通路３０の開口よりも大きな寸法の平板状を成すパネル本体２１を有したもので、連絡通路３０の開口全域を覆う状態でドアパネル２のドア表面２ｂに取り付けてある。パネル本体２１には、その中央部に投入口２１ａが設けてあるとともに、室内側に位置する面（以下、「パネル裏面２１ｂ」という）にメイン蓋プレート４０が設けてある。
【００２６】
パネル本体２１の投入口２１ａは、連絡通路３０と同様に、水平方向に沿って横長のほぼ長方形状を成すもので、下方の両隅部にそれぞれ突出部２２を有している。突出部２２は、パネル本体２１から投入口２１ａの内部に向けて突出し、投入口２１ａにおいて下方部の水平方向に沿った寸法を、上方部の水平方向に沿った寸法よりもわずかに短くなるように投入口２１ａを覆った部分である。
【００２７】
メイン蓋プレート４０は、パネル本体２１の裏面側に配設した板状部材である。このメイン蓋プレート４０は、両端部に設けたメイン軸支持部４１の間に水平方向に沿ったメイン支持軸４２を備えており、このメイン支持軸４２を介してパネル本体２１のパネル裏面２１ｂに設けたメイン軸受部２３に回転可能に支持させてある。
【００２８】
メイン蓋プレート４０は、水平方向に沿った寸法がパネル本体２１の投入口２１ａよりも大きく、かつ上下方向に沿った寸法が投入口２１ａの上方部よりもわずかに大きく形成してある。メイン蓋プレート４０をメイン支持軸４２から垂下させた場合には、投入口２１ａにおいて突出部２２の相互間となる部位（非覆領域）を開放した状態で、投入口２１ａの上方部を覆うことが可能である。このメイン蓋プレート４０は、パネル本体２１との間に介在させたメインリターンバネ４３によってパネル本体２１のパネル裏面２１ｂに近接する方向に常時押圧された状態にある。
【００２９】
図６の（ａ）に示すように、メイン蓋プレート４０は、投入口２１ａに対応する中央部が周縁部に比べて室外側に凸となるように構成してある。これにより、メイン蓋プレート４０の周縁部をパネル本体２１のパネル裏面２１ｂに当接させた場合には、メイン蓋プレート４０の中央部において室外側に位置する面がパネル本体２１において室外側に位置する面（以下、「パネル表面２１ｃ」という）と同一の平面上に位置されることになる。また、図１に示すように、メイン蓋プレート４０の下方に位置する先端部は、室外側に向けて屈曲した後、さらに下方に向けて屈曲して段状部４０ａを構成している。
【００３０】
一方、投入パネル２０には、投入口２１ａにおいて突出部２２の相互間となる部位にサブ蓋プレート５０が配設してある。サブ蓋プレート５０は、投入パネル２０のパネル表面２１ｃに位置する蓋部５１と、蓋部５１の下端部から室内側に向けて屈曲することにより投入口２１ａを通じてパネル本体２１の裏面側に位置し、さらに下方に屈曲した支承部５２とを一体に成形した板状部材である。このサブ蓋プレート５０は、図１〜図３及び図６の（ｃ）に示すように、支承部５２の両端部に設けたサブ軸支持部５３の間に水平方向に沿ったサブ支持軸５４を備えており、このサブ支持軸５４を介してパネル本体２１のパネル裏面２１ｂに設けたサブ軸受部２４に回転可能に支持させてある。図６の（ｂ）及び図６の（ｃ）に示すように、パネル本体２１のパネル裏面２１ｂにおいてサブ蓋プレート５０の支承部５２に対応する部位には、閉塞板２５が配設してある。閉塞板２５は、サブ蓋プレート５０の支承部５２を屈曲することによって構成される両端の開口を閉塞し、支承部５２を通じた室内外での通気を遮断するものである。
【００３１】
サブ蓋プレート５０の蓋部５１は、図４に示すように、水平方向に沿った寸法がパネル本体２１の投入口２１ａとほぼ一致し、かつ上下方向に沿った寸法が投入口２１ａの突出部２２とほぼ同じに形成してある。図１〜図５に示すように、サブ蓋プレート５０の蓋部５１をサブ支持軸５４から鉛直上方に向けて立設させた場合には、蓋部５１の両側部をそれぞれパネル本体２１の突出部２２に当接させた状態で、投入口２１ａにおいて突出部２２の相互間となる部位を覆うことが可能である。このサブ蓋プレート５０は、パネル本体２１との間に介在させたサブリターンバネ２６により、パネル本体２１のパネル表面２１ｃに近接する方向に常時押圧された状態にある。
【００３２】
図６の（ｂ）に示すように、サブ蓋プレート５０の蓋部５１は、その中央部が両側部に比べて室内側に凸となるように構成してある。従って、サブ蓋プレート５０の両側部をパネル本体２１の突出部２２に当接させた場合には、サブ蓋プレート５０の中央部において室外側に位置する面がパネル本体２１のパネル表面２１ｃと同一の平面上に位置され、サブ蓋プレート５０の上方に位置する先端部がメイン蓋プレート４０に形成した段状部４０ａの前面に当接されることになる。
【００３３】
上記のように構成した受箱装置では、通常状態にある場合、図１に示すように、メイン蓋プレート４０がメインリターンバネ４３によって投入口２１ａの上方部を覆い、かつサブ蓋プレート５０がサブリターンバネ２６によって投入口２１ａの下方部を覆うことになる。つまり、メイン蓋プレート４０及びサブ蓋プレート５０によってパネル本体２１の投入口２１ａが閉塞された状態に維持される。さらに、サブ蓋プレート５０の支承部５２に対応する部位に閉塞板２５を配設するようにしているため、室内側に屈曲した支承部５２による開口部も閉塞される。従って、ドアパネル２に形成した連絡通路３０を通じた室内外での通気を遮断することができ、例えば温調された室内の空気と外部雰囲気とが流通する事態を防止することが可能となる。
【００３４】
投入パネル２０の投入口２１ａが閉塞された状態においても、図２に示すように、パネル本体２１の投入口２１ａに収容物Ｐを差し込めば、メイン蓋プレート４０が室内側に向けて上方に回転することになり、そのまま収容物Ｐを室内の受入箱１０に収容させることができる。受入箱１０に収容された収容物Ｐは、室内側において受入箱１０の取出口（図示せず）から取り出すことが可能である。
【００３５】
一方、この受箱装置においても、メイン蓋プレート４０が室内側に回転した場合にパネル本体２１の投入口２１ａが開くように構成してあるため、メイン蓋プレート４０に挟まれた物体を引き抜こうとした場合、メイン蓋プレート４０が閉じる方向に移動することになり、このままでは物体が挟まれた状態を解除することが困難である。
【００３６】
しかしながら、上述の受箱装置では、先端部がメイン蓋プレート４０の先端部に当接したサブ蓋プレート５０がパネル本体２１の表面から離隔する方向に移動した場合に投入口２１ａが開口されるように構成している。従って、物体を引き抜く方向に移動した場合には、図３に示すように、サブ蓋プレート５０が投入口２１ａを開口するように移動するため、メイン蓋プレート４０によって挟まれた状態を解除することができ、物体を引き抜く操作を容易に行うことが可能となる。
【００３７】
さらに、投入口２１ａの左右方向に沿った寸法と、パネル本体２１の表面側から投入口２１ａを覆うサブ蓋プレート５０の左右方向に沿った寸法とを一致させるようにしているため、外観上は図８に示すように、メイン蓋プレート４０とサブ蓋プレート５０との間に分割線が現れるだけとなり、外観品質を損なう恐れもない。
【００３８】
尚、上述した実施の形態では、メイン蓋プレート４０とサブ蓋プレート５０とによって蓋体を構成するようにしているが、本発明はこれに限定されず、互いに先端部を当接させたメイン蓋プレート４０及びサブ蓋プレート５０を備えていれば、さらに追加の蓋プレートを備えて蓋体を構成しても同様の作用効果を奏することができる。
【００３９】
また、上述した実施の形態では、メイン蓋プレート４０とサブ蓋プレート５０とを上下に並設するようにしたものを例示しているが、左右に並設して蓋体を構成しても良いし、上下を逆にして蓋体を構成しても構わない。
【００４０】
さらに、上述した実施の形態では、受箱装置として、玄関ドア１に付設される郵便受けを例示しているが、必ずしもこれに限定されず、単独の郵便受けとして受箱装置を構成しても良い。この場合には、連絡通路３０を省略し、直接受入箱１０の受入口に投入パネル２０を配設することも可能である。
【符号の説明】
【００４１】
１０      受入箱
２０      投入パネル
２１      パネル本体
２１ａ      投入口
２２      突出部
３０      連絡通路
４０      メイン蓋プレート
４２      メイン支持軸
５０      サブ蓋プレート
５３      サブ軸支持部
【図１】
0005818311.tif 000002
【図２】
0005818311.tif 000003
【図３】
0005818311.tif 000004
【図４】
0005818311.tif 000005
【図５】
0005818311.tif 000006
【図６】
0005818311.tif 000007
【図７】
0005818311.tif 000008
【図８】
0005818311.tif 000009